【手続補正書】
【提出日】平成19年10月10日(2007.10.10)
【手続補正１】
【補正対象書類名】明細書
【補正対象項目名】発明の名称
【補正方法】変更
【補正の内容】
【発明の名称】電話システム、およびその通信制御方法
【手続補正２】
【補正対象書類名】特許請求の範囲
【補正対象項目名】全文
【補正方法】変更
【補正の内容】
【特許請求の範囲】
【請求項１】
ユーザ識別番号を記憶した識別番号記憶手段と、
ログインされた電話端末に係わる呼処理制御を行う呼処理制御手段と、
前記ユーザ識別番号を有したユーザのログイン登録が可能な電話端末の上限台数を記憶する上限台数記憶手段と、
前記電話端末より前記ユーザ識別番号が入力された場合、前記ユーザ識別番号に基づき前記入力があった電話端末を含めたログイン登録に係わる電話端末の台数を記憶するログイン台数判断手段と、
前記ログイン台数判断手段により記憶したログインに係わる電話端末の台数と、前記上限台数記憶手段にて記憶された前記ログイン登録可能な前記電話端末の上限台数を比較照合する比較照合手段とを備え、
前記電話端末より前記ユーザ識別番号が入力された時、
前記比較照合を行い、前記ユーザの識別番号の入力が有った電話端末を含めた電話端末の台数が前記ログイン登録可能な前記電話端末の上限台数以下である場合は、前記ユーザの識別番号の入力があった電話端末のログイン登録をする
ことを特徴とする電話システム。
【請求項２】
ログイン登録に係わる電話端末の電話端末識別番号とユーザ識別番号との関係を記憶した識別番号記憶手段と、
前記電話端末識別番号に基づきログインされた電話端末に係わる呼処理制御を行う呼処理制御手段と、
前記ユーザ識別番号に対応させてユーザのログイン登録が可能な前記電話端末の上限台数を記憶する上限台数記憶手段と、
前記電話端末より前記ユーザ識別番号が入力された場合、前記ユーザ識別番号に基づき前記入力があった電話端末を含めたログイン登録に係わる電話端末の台数を記憶するログイン台数判断手段と、
前記ログイン台数計数手段により計数したログイン登録に係わる電話端末の台数と、前記上限台数記憶手段にて記憶された前記ログイン登録可能な前記電話端末の上限台数を比較照合する比較照合手段とを備え、
電話端末より前記ユーザ識別番号が入力された時、
前記比較照合を行い、前記ユーザの識別番号の入力が有った電話端末を含めた電話端末の台数が前記ログイン登録可能な前記電話端末の上限台数以下である場合は、前記ユーザの識別番号の入力があった電話端末のログイン登録をする
ことを特徴とする電話システム。
【請求項３】
電話端末識別番号が付された複数の電話端末と、
ログイン登録に係わる電話端末の電話端末識別番号とユーザ識別番号との関係を記憶した識別番号記憶手段と、
前記電話端末識別番号に基づきログインされた電話端末に係わる呼処理制御を行う呼処理制御手段と、
前記ユーザ識別番号に対応させてユーザがログイン登録可能な前記電話端末の上限台数を記憶する上限台数記憶手段と、
前記電話端末より前記ユーザ識別番号が入力された場合、前記ユーザ識別番号に基づき前記入力があった電話端末を含めたログイン登録に係わる電話端末の台数を記憶するログイン台数判断手段と、
前記ログイン台数判断手段により記憶したログイン登録に係わる電話端末の台数と、前記上限台数記憶手段にて記憶された前記ログイン登録可能な前記電話端末の上限台数を比較照合する比較照合手段とを備え、
電話端末より前記ユーザ識別番号が入力された時、
前記比較照合を行い、前記ユーザの識別番号の入力が有った電話端末を含めた電話端末の台数が前記ログイン登録可能な前記電話端末の上限台数以下である場合は、前記ユーザの識別番号の入力があった電話端末ログイン登録をする
ことを特徴とする電話システム。
【請求項４】
前記比較照合した結果、ユーザの識別番号の入力があった電話端末を含めた電話端末の台数が、前記ログイン登録可能な電話端末の上限台数を超える場合は、強制ログインコマンドが入力されたときのみ、前記ユーザの識別番号の入力があった電話端末のログイン登録をする
ことを特徴とする請求項１乃至３記載の電話システム。
【請求項５】
識別番号記憶手段と、上限台数記憶手段と、ログイン台数判断手段と、比較照合手段と、複数の電話端末とを備える電話システムの通信制御方法において
前記識別番号記憶手段は、ユーザ識別番号を記憶し、
前記上限台数記憶手段は、前記ユーザ識別番号を有したユーザのログイン登録が可能な電話端末の上限台数を記憶し、
前記ログイン台数判断手段は、電話端末に前記ユーザ識別番号が入力された場合、前記識別番号記憶手段を参照して前記ユーザ識別番号に基づき前記入力があった電話端末を含めたログイン登録に係わる電話端末の台数を記憶し、
前記比較照合手段は、前記ログイン台数判断手段により記憶したログインに係わる電話端末の台数と、前記上限台数記憶手段にて記憶された前記ログイン登録可能な前記電話端末の上限台数を比較照合し、前記比較照合の結果、前記ユーザの識別番号の入力が有った電話端末を含めた電話端末の台数が前記ログイン登録可能な前記電話端末の上限台数以下である場合、
前記ユーザの識別番号の入力があった電話端末は、前記識別番号記憶手段にログイン登録をする
ことを特徴とする電話システムの制御方法。
【請求項６】
識別番号記憶手段と、上限台数記憶手段と、ログイン台数判断手段と、比較照合手段と、電話端末とを備える電話システムの通信制御方法において
前記識別番号記憶手段は、ログイン登録に係わる前記電話端末の電話端末識別番号とユーザ識別番号との関係を記憶し、
前記上限台数記憶手段は、前記ユーザ識別番号に対応させてユーザのログイン登録が可能な前記電話端末の上限台数を記憶し、
前記ログイン台数計数手段は、前記電話端末に前記ユーザ識別番号が入力された場合、前記識別番号記憶手段を参照して前記ユーザ識別番号に基づき前記入力があった電話端末を含めたログイン登録に係わる電話端末の台数を計数し、
前記比較照合手段は、前記ログイン台数判断手段により記憶したログイン登録に係わる電話端末の台数と、前記上限台数記憶手段にて記憶された前記ログイン登録可能な前記電話端末の上限台数を比較照合し、前記ユーザの識別番号の入力が有った電話端末を含めた電話端末の台数が前記ログイン登録可能な前記電話端末の上限台数以下である場合、
前記ユーザの識別番号の入力があった電話端末は、前記識別番号記憶手段（それとも、ログイン台数判断手段）にログイン登録をする
ことを特徴とする電話システムの通信制御方法。
【請求項７】
識別番号記憶手段と、上限台数記憶手段と、ログイン台数判断手段と、比較照合手段と、複数の電話端末とを備える電話システムの通信制御方法において
前記各電話端末には、固有の電話端末識別番号が付され、
前記識別番号記憶手段は、ログイン登録に係わる前記電話端末の電話端末識別番号とユーザ識別番号との関係を記憶し、
前記上限台数記憶手段は、前記ユーザ識別番号に対応させてユーザのログイン登録が可能な前記電話端末の上限台数を記憶し、
前記ログイン台数計数手段は、前記電話端末に前記ユーザ識別番号が入力された場合、前記識別番号記憶手段を参照して前記ユーザ識別番号に基づき前記入力があった電話端末を含めたログイン登録に係わる電話端末の台数を記憶し、
前記比較照合手段は、前記ログイン台数判断手段により記憶したログイン登録に係わる電話端末の台数と、前記上限台数記憶手段にて記憶された前記ログイン登録可能な前記電話端末の上限台数を比較照合し、前記ユーザの識別番号の入力が有った電話端末を含めた電話端末の台数が前記ログイン登録可能な前記電話端末の上限台数以下である場合、
前記ユーザの識別番号の入力があった電話端末は、ログイン登録をする
ことを特徴とする電話システムの通信制御方法。
【手続補正３】
【補正対象書類名】明細書
【補正対象項目名】０００１
【補正方法】変更
【補正の内容】
【０００１】
本発明は、電話端末よりログイン登録をする電話システム、およびその通信制御方法に関する。
【手続補正４】
【補正対象書類名】明細書
【補正対象項目名】０００５
【補正方法】変更
【補正の内容】
【０００５】
従来の電話システムでは、ネットワークのどこの電話端末からでも同一ユーザＩＤによるログインにより電話が可能であるが、電話端末のユーザＩＤ数が大きくなるとログインされた電話端末に関する呼接続制御の負荷が大きくなる問題があった。
【手続補正５】
【補正対象書類名】明細書
【補正対象項目名】０００６
【補正方法】変更
【補正の内容】
【０００６】
本発明は上記問題を解決するためになされたもので、呼接続制御の負荷増大を抑える電話システムとその通信制御方法を提供することを目的とする。
【手続補正６】
【補正対象書類名】明細書
【補正対象項目名】０００７
【補正方法】変更
【補正の内容】
【０００７】
上記目的を達成するために、本発明の電話システムは、ユーザ識別番号を記憶した識別番号記憶手段と、ログインされた電話端末に係わる呼処理制御を行う呼処理制御手段と、前記ユーザ識別番号を有したユーザのログイン登録が可能な電話端末の上限台数を記憶する上限台数記憶手段と、前記電話端末より前記ユーザ識別番号が入力された場合、前記ユーザ識別番号に基づき前記入力があった電話端末を含めたログイン登録に係わる電話端末の台数を記憶するログイン台数判断手段と、前記ログイン台数判断手段により記憶したログインに係わる電話端末の台数と、前記上限台数記憶手段にて記憶された前記ログイン登録可能な前記電話端末の上限台数を比較照合する比較照合手段とを備え、前記電話端末より前記ユーザ識別番号が入力された時、前記比較照合を行い、前記ユーザの識別番号の入力が有った電話端末を含めた電話端末の台数が前記ログイン登録可能な前記電話端末の上限台数以下である場合は、前記ユーザの識別番号の入力があった電話端末のログイン登録をすることを特徴とする電話システム。
また、本発明の電話システムの制御方法は、識別番号記憶手段と、上限台数記憶手段と、ログイン台数判断手段と、比較照合手段と、複数の電話端末とを備える電話システムの通信制御方法において前記識別番号記憶手段は、ユーザ識別番号を記憶し、前記上限台数記憶手段は、前記ユーザ識別番号を有したユーザのログイン登録が可能な電話端末の上限台数を記憶し、前記ログイン台数判断手段は、電話端末に前記ユーザ識別番号が入力された場合、前記識別番号記憶手段を参照して前記ユーザ識別番号に基づき前記入力があった電話端末を含めたログイン登録に係わる電話端末の台数を記憶し、前記比較照合手段は、前記ログイン台数判断手段により記憶したログインに係わる電話端末の台数と、前記上限台数記憶手段にて記憶された前記ログイン登録可能な前記電話端末の上限台数を比較照合し、前記比較照合の結果、前記ユーザの識別番号の入力が有った電話端末を含めた電話端末の台数が前記ログイン登録可能な前記電話端末の上限台数以下である場合、前記ユーザの識別番号の入力があった電話端末は、前記識別番号記憶手段にログイン登録をすることを特徴とする。
【手続補正７】
【補正対象書類名】明細書
【補正対象項目名】０００８
【補正方法】変更
【補正の内容】
【０００８】
識別番号記憶手段と、上限台数記憶手段と、ログイン台数判断手段と、比較照合手段と、複数の電話端末とを備える電話システムの通信制御方法において前記識別番号記憶手段は、ユーザ識別番号を記憶し、前記上限台数記憶手段は、前記ユーザ識別番号を有したユーザのログイン登録が可能な電話端末の上限台数を記憶し、前記ログイン台数判断手段は、電話端末に前記ユーザ識別番号が入力された場合、前記識別番号記憶手段を参照して前記ユーザ識別番号に基づき前記入力があった電話端末を含めたログイン登録に係わる電話端末の台数を記憶し、前記比較照合手段は、前記ログイン台数判断手段により記憶したログインに係わる電話端末の台数と、前記上限台数記憶手段にて記憶された前記ログイン登録可能な前記電話端末の上限台数を比較照合し、前記比較照合の結果、前記ユーザの識別番号の入力が有った電話端末を含めた電話端末の台数が前記ログイン登録可能な前記電話端末の上限台数以下である場合、前記ユーザの識別番号の入力があった電話端末は、前記識別番号記憶手段にログイン登録をすることを特徴とする電話システムの制御方法。
【手続補正８】
【補正対象書類名】明細書
【補正対象項目名】０００９
【補正方法】変更
【補正の内容】
【０００９】
本発明によれば、電話端末が、ユーザのログインできる電話端末台数を制限することにより呼接続制御の負荷増大を抑える電話システムとその通信制御方法を提供することが出来る。